(57)【要約】【課題】複数のピースで構成された外装カバーの合わせに配置された弾性を有する防滴部材によって生じる隙間を小さくして、外観品位、防滴・防塵性能を向上させる。また、外装カバーを分解するときに係合部材が破損することなく容易に分解できる電子機器を提供すること。【解決手段】第１、第２、第３の外装部材を備え、互いに直交するように組み付けられ、第１と第２の外装部材の合わせ部の隙間には、弾性を有する第1の防滴部材を有し、第２の外装部材を組み付ける際、第1の防滴部材は、第２の外装部材の組み付け方向と同一方向に反発力を生じ、第1の防滴部材は、第３の外装部品を組み込むことで、圧縮させた状態で保持される電子機器であって、第２の外装部材は、第３の外装部材の面と略並行の腕部と、係合穴部を有しており、第３の外装部材の腕部と垂直な方向に設けられた爪部は、第３の外装部材を組み込むと、係合穴部に嵌合する位置に配置されることを特徴とする構成とした。【選択図】図３
2016018175.tif 000002
【特許請求の範囲】
【請求項１】
第１の外装部材（１００）と第２の外装部材（２００）と第３の外装部材（３００）を備え、それぞれ互いに直交するように組み付けられ、
前記第２の外装部材（２００）は、前記第１と第３の外装部材（１００、３００）との合わせ部近傍に穴部を有し、
前記第１の外装部材（１００）と前記第２の外装部材（２００）の合わせ部の隙間には、弾性を有する第１の防滴部材（１１０）を有しており、
前記第１の防滴部材（１１０）は、前記第１の外装部材（１００）に前記第２の外装部材（２００）を組み付ける際、前記第２の外装部材（２００）の組み付け方向と同一方向に反発力を生じ、
前記第１の防滴部材（１１０）は、前記第３の外装部品（３００）を組み込むことで、圧縮させた状態で保持さる電子機器において、
前記第２の外装部材（２００）は、前記第３の外装部材（３００）の面と並行に腕部（２５０）を有し、腕部（２５０）には係合穴部（２５１）を有しており、
前記第３の外装部材（３００）の前記腕部（２５０）と垂直な方向に設けられた爪部（３５０）は、前記第３の外装部材（３００）を組み込むと、前記係合穴部（２５１）に嵌合する位置に配置されることを特徴とする電子装置。
【請求項２】
前記第３の外装部材（３００）は、弾性を有する第２の防滴部材（３１０）を有しており、組み付け方向と同一方向に反発力が生じ、
組み込み時に、前記第３の外装部材（３００）の前記爪部（３５０）が前記係合穴部（２５１）に嵌合した後、前記第２防滴部材（３１０）が、接触面（１２０、２２０）と接触して、圧縮した状態で固定されることを特徴とする請求項１に記載の電子装置。
【請求項３】
前記第２の防滴部材（３１０）の接触面（１２０、２２０）は、前記第１と前記第２の外装部品であることを特徴とする請求項１又は請求項２に記載の電子装置。
【請求項４】
前記第１の外装部材（１００）と前記第３の外装部材（３００）はそれぞれ同一部材（７００）に位置決めされることを特徴とする請求項１に記載の電子装置。
【請求項５】
前記第１の外装部材（１００）は、上面外装カバーであり、前記第２の外装部材（２００）は、背面外装カバー、前記第３の外装部材（３００）は左側面外装カバーであることを特徴とする請求項１に記載の電子装置。
【請求項６】
前記第２の外装部材（２００）の、前記第1と第２の外装部材（１００、２００）との合わせ部近傍に設けられた穴部は、釦（１２）の操作部または、表示装置（１４）であることを特徴とする請求項１に記載の電子装置。
【発明の詳細な説明】
【技術分野】
【０００１】
本発明は、デジタルカメラ等の電子機器の外装構成に関するものである。
【背景技術】
【０００２】
従来、防滴性能を備えた電子機器においては、外装カバーと外装カバーの間に介在する防滴部材が設けられている。防滴部材は、ゴムなどの弾性部材であり、外装カバー間の隙間がなくなるように、微小に押しつぶされて保持されている。しかし、本体を把持した際に外装カバーが沈み込む感触である、ふかつきが発生する場合がある。外装カバーのふかつきや、外装カバー同士の隙間が大きいと外観の品位を下げる。そのため、ふかつきや隙間を極力抑制することが必要になる。また、組み立てる際、防滴部材により反発力が働き、圧着工具などを用いて、圧縮状態を保持しながら組み立てる必要がある。
【０００３】
例えば、電子機器には防滴性を維持するべき防滴部材を収縮させるように一対のケースを係止する固定ネジが設けられているものがある。しかし、固定ネジの設置個所には、固定ネジの取り付け孔やボスを形成する必要があり、形状の複雑化、部品点数の増大、さらにはデザイン上の制約につながるため、容易な構成、少ない部品点数で防滴性能を維持する構成が必要である。
【０００４】
そこで、特許文献１では、部品点数を増やすことなく、外装カバーのふかつきを抑え、ふかつきが発生しても、容易に調整ができる電子機器が開示されている。ここでは、第１のカバーと第２のカバーと第３のカバーで内部構成部品を覆う構造を有する電子機器において、第１のカバーは、前記第１のカバーと一体となって構成された第１のインナー部材を有する。第２のカバーは、前記第２のカバーと一体となって構成された第２のインナー部材を有する。そして、第１のインナー部材と第２のインナー部材はそれぞれ、第３のカバーが有する爪部と係合する係合部を有し、前記爪部と前記係合部の係合する当接面が斜面になっている構成である。
【０００５】
ここで、第１のカバーと第３のカバーが、それぞれの係合部と爪部とで係合している状態において、それぞれの当接面は公差を持っているため、寸法ばらつきにより、隙間が発生する場合がある。この場合、第１のインナーと当接する第３のカバーの凸形状部の光軸方向の凸量を調整する。すなわち、凸形状部に対応する金型の凹部を個々に切削することで、第３のカバーの凸量を調整し、第１のカバーのふかつき具合を軽減することができる。したがって、凸形状部が存在していない場合においては、従来金型全面を切削していたことに比較して、金型の修正が格段に容易になる。
【０００６】
さらには、細かいふかつきが生じた場合にも、部分的に対応することができる。また、前記爪部と係合部の当接面が斜面になっており、係合部を有している第１のインナーは樹脂部材で構成し、係合部は弾性を有しているため、係合部の腕部分が撓むことができ、係合しきらない状態は発生しない。
【先行技術文献】
【特許文献】
【０００７】
【特許文献１】特開２０１３−２００９９号公報
【発明の概要】
【発明が解決しようとする課題】
【０００８】
しかしながら、上述の特許文献に開示された従来技術では、カバーと係合する爪部は一部品で構成され、係合部の腕部分が撓むことで、爪部と係合している。係合部に弾性が必要であり、ボディを組み立て時にバラし作業が発生した際に、爪と孔との嵌合を無理に引っ張ることで解除することになるため、係合部の爪が折れて、再使用ができないという懸念がある。
【０００９】
そこで、本発明の目的は、複数のピースで構成された外装カバーの合わせに配置された弾性を有する防滴部材によって生じる隙間を小さくして、外観品位および防滴・防塵性能を向上することである。また、外装カバーを分解するときに係合部材が破損することなく容易に分解できる電子機器を提供することである。
【課題を解決するための手段】
【００１０】
上記目的を達成するために、本発明に係る電子装置の構成は、第１の外装部材と第２の外装部材と第３の外装部材を備え、それぞれ互いに直交するように組み付けられ、前記第２の外装部材は、前記第1と第３の外装部材との合わせ部近傍に穴部を有し、前記第１の外装部材と前記第２の外装部材の合わせ部の隙間には、弾性を有する第1の防滴部材を有しており、前記第１の外装部材に前記第２の外装部材を組み付ける際、前記第1の防滴部材は、前記第２の外装部材の組み付け方向と同一方向に反発力を生じ、前記第1の防滴部材は、前記第３の外装部品を組み込むことで、圧縮させた状態で保持される電子機器において、前記第２の外装部材は、前記第３の外装部材の面と略並行に腕部を有し、腕部には係合穴部を有しており、前記第３の外装部材の前記腕部と垂直な方向に設けられた爪部は、前記第３の外装部材を組み込むと、前記係合穴部に嵌合する位置に配置されることを特徴とする。
【発明の効果】
【００１１】
本発明によれば、複数のピースで構成された外装カバーの合わせ部に配置された、弾性を有する防滴部材によって生じる隙間を小さくし、外観品位や防滴・防塵性能を向上することができる。また、外装カバーを分解するときに係合部材が破損することなく容易に分解できる電子機器を提供することができる。
【図面の簡単な説明】
【００１２】
【図１】本発明におけるデジタル一眼レフカメラを撮影者側から見た外観斜視図である。
【図２】本発明におけるデジタル一眼レフカメラの外装カバーの被写体側から見た展開斜視図である。
【図３】本発明におけるデジタル一眼レフカメラの外装カバーの撮影者側から見た展開斜視図である。
【図４】本発明における、背面外装カバーの腕部を取り出して示す、要部拡大斜視図である。
【図５】本発明における、左側面外装カバーの爪部を取り出して示す、要部拡大斜視図である。
【図６】本発明における、係合部材の概略構成を示す、左側面外装カバーの取り付け方向から見た、組み込み時の係合部材の断面図である。
【図７】図６のＡ−Ａ線による、組み込み時の係合部材の断面図である。
【発明を実施するための形態】
【００１３】
以下に、本発明の好ましい実施の形態を、添付の図面に基づいて詳細に説明する。図１は、本発明の実施形態である電子機器を撮影者側から見た外観斜視図である。なお本実施形態においては電子機器としてデジタル一眼レフカメラを例示して説明するが、本発明の構成はカメラに限定されるものではない。
【００１４】
図１に示すカメラの上面外装カバー１００には、主電源スイッチ１０、撮影モードダイヤル１１が設けられている。主電源スイッチ１０はＯＮ位置へ操作すると、カメラは起動する。また、撮影モードダイヤル１１はダイヤルを回転させることで、撮影モードを変更することができる。カメラの背面外装カバー２００の撮影者側から見て左側の、左側外装カバー３００近傍には、各種ボタン１２が配置され、カメラの設定や画像再生時に用いて操作を行う。また、ビューファインダー１３や液晶表示装置１４が配置されている。
【００１５】
図２、図３を用いて本発明の実施例における外装カバーの防滴構造について説明する。図２は本発明を適用したデジタル一眼レフカメラの外装カバーを被写体側から見た展開斜視図であり、図３は撮影者側から見た展開斜視図である。図２と図３において示すように、本発明のデジタル一眼レフカメラの外装を覆うカバーは、第１のカバーである上面外装カバー１００、第２のカバーである背面外装カバー２００、第３のカバーである左側面外装カバー３００、第４のカバーである正面外装カバー４００、第５のカバーである右側面外装カバー５００、第６のカバーである底面外装カバー６００の６つに分割されている。また、６つに分割された外装カバーは、カメラの骨組みをなす本体フレーム７００に対して、右側面外装カバー５００、底面外装カバー６００、上面外装カバー１００、正面外装カバー４００、背面外装カバー２００、左側面外装カバー３００の順に組み付けられる。
【００１６】
上面外装カバー１００、背面外装カバー２００、正面外装カバー４００はマグネシウム合金等の金属で成形されている。右側面外装カバー５００は、左側面外装カバー３００、底面カバー６００はそれぞれ樹脂で形成されている。左側面外装カバー３００は、正面外装カバー４００と、上面外装カバー１００と、背面外装カバー２００と、底面外装カバー６００との合わせの端部近傍に弾性部材３１０が樹脂と一体的に成形されている。
【００１７】
各外装カバーが本体フレーム７００に組み付けられた状態において、上面外装カバー１００には、右側面外装カバー５００の弾性部材と対向する位置に当接面１３０と、左側面外装カバー３００の弾性部材３１０と対向する位置に当接面１２０が設けられている。また、上面外装カバー１００には、背面外装カバー２００との合わせ端部近傍に防滴シール部材１１０が貼りつけられている。そして背面外装カバー２００には、防滴シール部材１１０と対向する位置に当接面２１０が設けられている。また、背面外装カバー２００には、右側面外装カバー５００の弾性部材５１０と対向する位置に当接面２３０と、左側面外装カバー３００の弾性部材３１０と対向する位置に当接面２２０と、底面外装カバー６００の弾性部材６１０に対向する位置に当接面２４０とが設けられている。
【００１８】
ここで便宜上、本発明に係る上面外装カバー１００と背面外装カバー２００の隙間に設けられた防滴シール部材１１０を第１の防滴部材、左側面外装カバー３００の弾性部材３１０を第２の防滴部材と呼ぶ。
【００１９】
背面外装カバー２００は、カバーに設けられた位置決めダボ２６０を上面外装カバー１００に設けられた位置決め穴１６０に入れることで位置を決め、上面外装カバー１００に対して垂直に組み付けられる。上面外装カバー１００に組み付けられると、外装カバーの隙間に設けられた第１の防滴部材１１０は潰れ、圧縮した状態で複数のビスによって固定される。また、左側面外装カバー３００はカバーに設けられた位置決めダボ３６０を、本体フレーム７００に設けられた位置決め穴７１０に入れることで位置を決め、組み付けられる。したがって、上面外装カバー１００と左側面外装カバー３００は同一の本体フレーム７００によって位置が決まるため、組み立てバラつきは小さくなる。
【００２０】
本体フレーム７００に左側面外装カバー３００を組み付けると、第２の防滴部材３１０は、上面外装カバー１００との当接面１２０、背面外装カバー２００の当接面２２０、正面外装カバーの当接面４１０、底面外装カバーの当接面６２０と接触して潰され、圧縮した状態でビスによって固定される。この時、左側面外装カバー３００には、第２の防滴部材３１０により、組み付け方向と同一方向に反発力が生じる。
【００２１】
図４は、本発明における、背面外装カバー２００の腕部２５０を取り出して示す要部拡大斜視図である。背面外装カバー２００は、組み付け方向と略平行に腕部２５０が設けられ、腕部２５０にはビス穴部２５２と係合穴部２５１が設けられている。ここで、腕部２５０は金属板金であり、釦１２のスイッチ部品を保持し、ビスによって背面外装カバー２００に組み付けられている。
【００２２】
図５は、左側面外装カバー３００の爪部３５０を取り出して示す要部拡大斜視図である。また、図６、図７は、組み込み時の係合部材の概略構成を示す説明図である。図６は、左側面外装カバー３００の取り付け方向から見た、組み込み時の係合部品の断面図であり、図７は、図６のＡ−Ａ断面図である。左側面外装カバー３００は、腕部２５０と垂直な方向、組み込み方向に突出した爪部３５０を設けている。左側面外装カバー３００は、上面外装カバー１００、背面外装カバー２００のそれぞれに対して、垂直方向に組み付けられる。
【００２３】
左側面外装カバー３００は背面外装カバー２００に組み込むことで、背面外装カバー２００の係合穴部２５１に左側面外装カバー３００に設けられた爪部３５０が入り込み、嵌合している状態を示している。その中で、爪部３５０は紙面方向での左側で、係合穴部２５１と当接している。当接していることで、背面外装カバー２００と上面外装カバー１００の間に配置された第１の防滴部材１１０による反発力で浮いた背面外装カバー２００を正規の組み立て位置まで引き込み、ふかつきを規制している。そして、外装カバーの合わせ部の隙間を小さくすることができ、外観品位および防滴・防塵性能が向上する。
【００２４】
本実施形においては、外装カバーを分解する時は、左側面外装カバー３００を外すことで、背面外装カバー２００の引き込みを解除することができるため、係合部材が破損することなく容易に分解を行うことができる。また、左側面外装カバー３００は、背面外装カバー２００を引きこんだ後に、第２の防滴部材３１０が、接触面１２０、２２０、４１０、６２０と接触して、圧縮した状態で本体フレーム７００に固定される。外装カバーの引き込むタイミングをずらすことで、異なる方向に働く各防滴部材による反発力を確実に抑え、それぞれのカバー間の隙間を小さくし、防滴性能を安定させることができる。
【００２５】
なお、本実施例では、上面外装カバー１００をマグネシウム合金等の金属で成形し、防滴のために防滴シール部材を別部材としているが、上面外装カバー１００を樹脂で成形し、防滴シール部材の代わりに弾性部材を一体的に成形する構成としても構わない。また、第２の防滴部材は、樹脂で成形された右側面外装カバー５００、左側面外装カバー３００に一体的に成形された弾性部材としたが、弾性部材をアウトサート成形（RIM成形等）する構成としても構わない。
【００２６】
以上、本発明の好ましい実施形態について説明したが、本発明はこれらの実施形態に限定されず、その要旨の範囲内で種々の変形及び変更が可能である。
【符号の説明】
【００２７】
１００  上面外装カバー、１１０  第1の防滴部材、２００  背面外装カバー、
２５０  腕部、２５１  係合穴部、３００  左側面外装カバー、
３１０  第２の防滴部材、３５０  爪部
【図１】
2016018175.tif 000003
【図２】
2016018175.tif 000004
【図３】
2016018175.tif 000005
【図４】
2016018175.tif 000006
【図５】
2016018175.tif 000007
【図６】
2016018175.tif 000008
【図７】
2016018175.tif 000009